(57)【要約】【課題】非常時にも非常灯として機能する埋込形の照明器具であっても設計が容易となるとともに、汎用性を高めることができる照明器具を提供する【解決手段】本実施形態によれば、蛍光ランプ１は通常使用における点灯装置２を用い、それとは別に非常用光源がＬＥＤ５である非常用点灯ユニット７とを組合わせていることにより、非常時にも非常灯として使用し得る照明器具１０を得ることができ、その設計を容易、かつ、汎用性を非常に高いものとすることができる。【選択図】図１
2004185875.tif 000002
【特許請求の範囲】
【請求項１】
主光源と；
主光源へ電源を供給する点灯装置と；
主光源が内側に配設されるとともに、主光源からの光が照射される第一透光開口を有する反射体と；
第一透光開口の開口面と略同一の位置に設けられ、かつ、第一透光開口の開口面よりも小さい開口面である第二透光開口と；
第二透光開口内に設けられる非常用光源としてのＬＥＤと；
ＬＥＤから照射される光の配光を制御する配光制御手段と；
蓄電池、常時はこの蓄電池を充電するとともに、非常時には蓄電池からの電源供給によりＬＥＤを点灯させる非常用点灯ユニットと；
主光源、反射体、第二透光開口及びＬＥＤが設けられ、天井に埋込んで取付けられる照明器具本体と；
を具備したことを特徴とする照明器具。
【発明の詳細な説明】
【０００１】
【発明の属する技術分野】
本発明は、主光源及び非常用光源が設けられる照明器具に関する。
【０００２】
【従来の技術】
従来、天井面に形成された取付孔に主光源を内包する器具本体が挿入して取付けられる埋込形の照明器具が広く普及している。さらに近年では、このような照明器具において、非常時にも主光源を点灯させることにより非常時の照明を確保するものが実用化されている（例えば、特許文献１参照。）。
【０００３】
この特許文献１記載の照明器具は、先に説明したように、天井に埋込まれる器具本体に主光源が内包されているものであって、その器具本体には点灯装置、非常点灯装置及び蓄電池が設けられているものであり、点灯装置、非常点灯装置及び蓄電池の配設構造に特徴を持たせたことにより、器具本体の埋込み高さを小さくすることができるというものである。
【０００４】
【特許文献１】
特開２００２−１９０２０１号公報（第３頁（００２４）〜（００２５）、図１）
【０００５】
【発明が解決しようとする課題】
しかしながら、特許文献１記載の発明は、常時は商用電源による電源供給によって主光源の点灯制御をする点灯装置、非常時は蓄電池によって主光源の点灯制御をする非常用点灯装置が必要となるので、主光源の種類ごとに専用の点灯装置、非常用点灯装置を設けなくてはならず、設計が煩雑となってしまうという課題があった。
【０００６】
また、建築基準法によって非常点灯時の光源の点灯時間は定められているものであるが、主光源の種類に応じて必要となり得る蓄電池の数は異なってしまうので、器具本体に蓄電池を設けるスペースも主光源の種類によって異なる虞があり、設計がより煩雑になってしまうとともに、汎用性をもたせることが難しいという課題もあった。
【０００７】
本発明は、上記に鑑みなされたものであり、非常時にも非常灯として機能する埋込形の照明器具であっても設計が容易となるとともに、汎用性を高めることができる照明器具を提供することを目的とする。
【０００８】
【課題を解決するための手段】
請求項１記載の照明器具は、主光源と；主光源へ電源を供給する点灯装置と；主光源が内側に配設されるとともに、主光源からの光が照射される第一透光開口を有する反射体と；第一透光開口の開口面と略同一の位置に設けられ、かつ、第一透光開口の開口面よりも小さい開口面である第二透光開口と；第二透光開口内に設けられる非常用光源としてのＬＥＤと；ＬＥＤから照射される光の配光を制御する配光制御手段と；蓄電池、常時はこの蓄電池を充電するとともに、非常時には蓄電池からの電源供給により非常用光源を点灯させる非常用点灯ユニットと；主光源、反射体、第二透光開口及びＬＥＤが設けられ、天井に埋め込んで取付けられる照明器具本体と；を具備したことを特徴とする。
【０００９】
本請求項および以下の請求項において、特に指定しない限り用語の定義及び技術的意味は以下の説明による。
【００１０】
第二透光開口は、必ずしも第一透光開口の開口面と同一の位置に設けられていなくてもよく、第一透光開口から照射される主光源の照射光及び第二透光開口から照射されるＬＥＤの照射光が天井面側から床面側に向かって照射可能なように設けられていればよい。
【００１１】
配光制御手段は、ＬＥＤに直接設けられているものであってもよいし、ＬＥＤとは別体に設けられていてもよく、ＬＥＤから照射される照射光を所望の配光とするように構成されているものであればよい。
【００１２】
本発明は、まず、常時は商用電源からの電源供給により主光源が点灯装置を介して点灯制御され、主光源が点灯した際には反射体の第一透光開口から光が照射される。また、非常用点灯ユニットは、蓄電池を充電するように制御されており、ＬＥＤは消灯状態を保持している。
【００１３】
次に、非常時には、点灯装置から主光源への電源供給が停止することで、主光源は消灯する。また、ＬＥＤは、非常用点灯ユニットの蓄電池から電源供給されることで点灯状態となり、配光制御手段により所望の配光に制御された照射光が第二透光開口から照射される。
【００１４】
本発明によれば、非常用点灯ユニットは非常用光源がＬＥＤであるものを用いており、また主光源の点灯ユニットは通常使用の主光源用の点灯装置を用いることができるので、非常時にも非常灯として使用し得る照明器具の設計を大変容易とすることができる。
【００１５】
また、非常用点灯ユニットは様々な種類の主光源と組合わせることが可能であるので、主光源が如何なる種類のものを用いるとしても、容易に非常時にも非常灯として使用し得る機能を照明器具に付加することができるので、汎用性を非常に高いものとすることができる。
【００１６】
また、非常用光源としてＬＥＤを用いているので、非常点灯時のバッテリの容量が小さいもので済むとともに、ＬＥＤの点灯回路も複雑かつ大形なものではないので照明器具と組合わせる際の大幅な専用スペースを必要とせず、様々な照明器具と組合わせることができやすくなり汎用性を非常に高いものとすることができる。
【００１７】
【発明の実施の形態】
本発明の一実施形態を図面を参照して説明する。図１は本実施形態の照明器具を示す斜視図、図２は図１の照明器具の底面図、図３はＬＥＤ及び配光制御手段を示す要部拡大図である。
【００１８】
１は主光源である片口金形の蛍光ランプ、２は点灯装置、３は反射体、４は第二透光開口、５はＬＥＤ、６は配光制御手段、７は非常用点灯ユニット、８は器具本体、１０は照明器具である。
【００１９】
蛍光ランプ１は、略Ｕ字状に屈曲された発光管１１からなり、この発光管１１の一端部側には、発光管１１側とは反対側に突設してある口金ピンを有する口金部１２が形成されている。
【００２０】
点灯装置２は、高周波発生回路を内蔵した安定器からなり、必要であれば電子スタータ等も設けられるものである。そして、この点灯装置２は配線２１が端子部９に接続されている。
【００２１】
反射体３は、蛍光ランプ１を内包し、少なくとも下方に第一透光開口３１が形成してある椀形であり、蛍光ランプ１と対向する面が反射面３２となるように設けられているものである。
【００２２】
ＬＥＤ５は、基板５１に発光素子５２が実装されているものであり、配線５３を介して後述する非常用点灯ユニット７へ電気的に接続されているものである。なお、このＬＥＤ５の構造は所望の光が照射されるような構成であればいかようにでも構成することができ、特に限定するものではない。
【００２３】
配光制御手段６は、ＬＥＤ５の発光素子５１を内包するようなレンズからなり、図３の矢印で示したように、発光素子５１から照射された光を屈折・透過させることで、例えば第二透光開口４から照射される光をできるだけ下方へ集光させ得るように構成されているものである。なお、この配光制御手段６は、ＬＥＤ５の光学設計により所望の配光が得られるようであれば別体で設けることは必須ではなく、このような場合にはＬＥＤ５が配光制御手段６をも含むものである。
【００２４】
非常用点灯ユニット７は、蓄電池（図示しない）を有するものであって、常時はこの蓄電池を充電するとともに、非常時には蓄電池からの電源供給によりＬＥＤ５を点灯させる非常用点灯回路（図示しない）が収納されているものである。また、非常用点灯回路は、端子部９に電気的に接続しているものであって、かつ、蓄電池からの直流電源を直接ＬＥＤ５へ供給するように構成されている。なお、点検用スイッチ７１は、蓄電池の寿命／異常等を点検するためのものであり、非常用点灯ユニット７内の蓄電池と電気的に接続され、かつ、後述する枠８２から引き紐７２が導出されている。
【００２５】
器具本体８は、円柱形状であり天井の内側へ埋込まれる本体部８１と天井の外面側へ露出する枠部８２とからなり、この枠部８２に第二透光開口４が設けられている。この第二透光開口４は、第一透光開口３１の開口面３２と略同一平面状に形成されているものであり、外観性を損なわないように設けられているものであって、この内部に上述したＬＥＤ５及び配光制御手段６が設けられている。
【００２６】
端子部９は、商用電源から配線９１を介して商用電源からの電源が供給されるとともに、蛍光ランプ１の口金、点灯装置２及び非常用点灯ユニット７が各々接続されるように設けられているものである。
【００２７】
本実施形態によれば、まず、点灯装置２及び器具本体８の本体部８１を天井の内側へ埋込み、取付けばね８３が天井の内側の天井面に係止することにより天井へ固定される。
【００２８】
そして、常時は商用電源から端子部９を介しての電源供給により蛍光ランプ１が点灯装置２により点灯制御される。そして、蛍光ランプ１が点灯した際には反射体３の第一透光開口３１から下方に向けて照射される。また、常時の非常用点灯ユニット７は、商用電源から端子部９を介して蓄電池を充電するように設けられており、ＬＥＤ５は消灯状態を保持するように制御している。
【００２９】
次に、火災・地震等により商用電源が遮断されてしまったような非常時には、商用電源からの電力供給が停止するので、点灯装置２から蛍光ランプ１への電力供給が停止することとなり、蛍光ランプ１は消灯する。しかしながらＬＥＤ５は、非常用点灯ユニット７の蓄電池から電力供給がされるので点灯状態となる。そして、配光制御手段６によりできるだけ下方に向けて照射されるように配光制御されたＬＥＤ５の照射光が第二透光開口４から照射される。
【００３０】
本実施形態によれば、蛍光ランプ１は通常使用（非常時の考慮は一切されていない使用状態）における点灯装置２を用いても、非常用光源がＬＥＤ５である非常用点灯ユニット７を組合わせるのみで、非常時にも非常灯として使用し得る照明器具１０を得ることができ、その設計は大変容易とすることができる。
【００３１】
また、非常用点灯ユニット７は蛍光ランプ１に限らず、様々な種類の主光源と組合わせることが可能であるので、様々な主光源が用いられる照明器具であっても容易に非常時にも非常灯として使用し得る機能を付加することができるので、汎用性が非常に高いものとすることができる。
【００３２】
また、非常用光源としてＬＥＤ５を用いているので、非常点灯時のバッテリの容量が小さいもので済むとともに、非常用点灯回路も複雑かつ大形なものとする必要がないので照明器具１０へ非常用点灯ユニット７を組込む際も器具本体８内で大幅なスペースを必要とはしないので、様々な照明器具と組合わせることができやすくなり、汎用性が非常に高いものとすることができる。なお、非常用点灯ユニット７は、器具本体８内へ設けられていなくてもよく、器具本体８とは別体で天井の内側へ設けることもでき、このような場合であっても非常用点灯ユニット７は小形化が可能であるので、天井の内側の空きスペースがどのように設定されていたとしても適用しやすくなる。
【００３３】
また、ＬＥＤ５及び配光制御手段６は、枠部８２の一部を切り欠いたスペースである第二透光開口４内に設けることが可能であるので、照明器具１０の外観を損なうことがなく、非常用光源として蛍光ランプ１以外の別の光源を設ける構成であっても意匠性を高めることができる。またさらに加えて、非常点灯時のＬＥＤ５の配光制御もなされいるので、意匠性を高めつつも非常灯としても適切に機能させることができる構成である。
【００３４】
【発明の効果】
請求項１の照明器具は、主光源と；主光源へ電源を供給する点灯装置と；主光源が内側に配設されるとともに、主光源からの光が照射される第一透光開口を有する反射体と；第一透光開口の開口面と略同一の位置に設けられ、かつ、第一透光開口の開口面よりも小さい開口面である第二透光開口と；第二透光開口内に設けられる非常用光源としてのＬＥＤと；ＬＥＤから照射される光の配光を制御する配光制御手段と；蓄電池、常時はこの蓄電池を充電するとともに、非常時には蓄電池からの電源供給により非常用光源を点灯させる非常用点灯ユニットと；主光源、反射体、第二透光開口及びＬＥＤが設けられ、天井に埋め込んで取付けられる照明器具本体と；を具備したことにより、非常用点灯ユニットは非常用光源がＬＥＤであるものを用いているので、主光源の点灯ユニットは通常使用の主光源用の点灯装置を用いることができ、非常時にも非常灯として使用し得る照明器具の設計を大変容易とすることができる。
【００３５】
また、非常用点灯ユニットは様々な種類の主光源と組合わせることが可能であるので、主光源が如何なる種類のものを用いるとしても、容易に非常時にも非常灯として使用し得る機能を照明器具に付加することができ、汎用性を非常に高いものとすることができる。
【００３６】
また、非常用光源としてＬＥＤを用いていることにより、非常点灯時のバッテリの容量が小さいもので済むとともに、ＬＥＤの点灯回路も複雑かつ大形なものではないので、照明器具と組合わせる際の大幅な専用スペースを必要とせず、様々な照明器具と組合わせることができやすくなり汎用性を非常に高いものとすることができる。
【図面の簡単な説明】
【図１】本実施形態の照明器具を示す斜視図
【図２】図１の照明器具の底面図
【図３】図１のＬＥＤ及び配光制御手段を示す要部拡大図である。
【符号の説明】
１・・・蛍光ランプ、２・・・点灯装置、３・・・反射体、４・・・第二透光開口、５・・・ＬＥＤ、６・・・配光制御手段、７・・・非常用点灯ユニット、８・・・器具本体、１０・・・照明器具
【図１】
2004185875.tif 000003
【図２】
2004185875.tif 000004
【図３】
2004185875.tif 000005